(57)【要約】【課題】本発明は、スイッチの操作性及びパーミング機能を維持しつつ、釣り糸によるスイッチへの絡み付きを効果的に抑制できる魚釣用リールを提供することを課題とする。【解決手段】本発明に係る魚釣用リール１００は、スプール６を回転自在に支持する左右の側板３Ａ，３Ｂと、左右の側板３Ａ，３Ｂ間の上部に配置され、表示部２１が設けられた表示ケース４と、表示ケース４の上面において左右方向の一方寄りに配置されたスイッチ２２と、を有するリール本体１を備え、リール本体１の上面には、上方に突出し前後方向に延在する突条部３１が形成され、突条部３１は、スイッチ２２と隣接し、突条部３１は、頂部３３と、その頂部３３からスイッチ２２に向かうにつれて次第に低くなるスイッチ側テーパ面３４と、を有していることを特徴とする。【選択図】図４
2019022464.tif 000002
【特許請求の範囲】
【請求項１】
スプールを回転自在に支持する左右の側板と、
前記左右の側板間の上部に配置され、表示部が設けられた表示ケースと、
前記表示ケースの上面において左右方向の一方寄りに配置されたスイッチと、
を有するリール本体を備えた魚釣用リールであって、
前記リール本体の上面には、上方に突出し、前後方向に延在する突条部が形成され、
前記突条部は、前記スイッチと隣接し、
前記突条部は、頂部と、前記頂部から前記スイッチに向かうにつれて次第に低くなるスイッチ側テーパ面と、を有していることを特徴とする魚釣用リール。
【請求項２】
前記スイッチにおける上面と側面との角部は、テーパ状に形成され、
前記突条部の頂部は、前記角部の下端よりも上方であり、かつ、前記角部の上端よりも下方に位置していることを特徴とする請求項１に記載の魚釣用リール。
【請求項３】
前記突条部は、前記スイッチよりも左右方向外側に配置され、前記スイッチと隣接していることを特徴とする請求項１又は請求項２に記載の魚釣用リール。
【請求項４】
前記突条部は、前記頂部から前記スイッチと反対側に向うにつれて次第に低くなる反スイッチ側テーパ面を備えていることを特徴とする請求項１から請求項３のいずれか１項に記載の魚釣用リール。
【発明の詳細な説明】
【技術分野】
【０００１】
本発明は、魚釣用リールに関する。
【背景技術】
【０００２】
両軸受型の魚釣用リールにおいて、釣り糸の繰り出し量や巻き取り量又は満潮の時間や水中探知情報などを表示するための表示部と、その表示内容を切り替えたりするための押圧式のスイッチと、を備えた表示ケースが設けられる場合がある。
【０００３】
このような魚釣用リールにおいて、下記特許文献１では、スイッチの誤操作を防止するため、隣接するスイッチ間に突起が設けられており、釣り人が隣接する２つのスイッチを同時に押圧できないようになっている。
また、下記特許文献２では、表示ケースの上面の後端に左右方向に延在する突起（指起き部）を設けてスイッチから離間した場所に指を置くように誘導し、スイッチの誤操作を防止している。
下記特許文献３では、表示ケースの後方に指を載せるための凹部を形成すると共に、表示ケースの上面から隆起した隆起部の中央にスイッチを配置し、凹部に載せた指がスイッチを誤って押圧しないようにしている。
【先行技術文献】
【特許文献】
【０００４】
【特許文献１】実開平０１-０９４０６５号公報
【特許文献２】特開２００３-３２５０８３号公報
【特許文献３】特開２００５-１４３３５９号公報
【発明の概要】
【発明が解決しようとする課題】
【０００５】
ところで、実釣時において、糸ふけにより釣り糸が環状を呈し、表示ケースのスイッチに絡み付くおそれがある。このため、スイッチの操作性を維持しつつ、スイッチに釣り糸が絡み付き難い構造が望まれている。
一方で、近年、リール本体が小型化しており、実釣時、釣り人は、釣竿とともにリール本体を掌で包む、という握り方（以下、パーミングという）を実施している。よって、実釣時にはパーミング機能の維持も要求される。
【０００６】
本発明は、このような課題を解決するために創作されたものであり、スイッチの操作性及びパーミング機能を維持しつつ、釣り糸によるスイッチへの絡み付きを効果的に抑制できる魚釣用リールを提供することを課題とする。
【課題を解決するための手段】
【０００７】
前記課題を解決するため、本発明の魚釣用リールは、スプールを回転自在に支持する左右の側板と、前記左右の側板間の上部に配置され、表示部が設けられた表示ケースと、前記表示ケースの上面において左右方向の一方寄りに配置されたスイッチと、を有するリール本体を備えた魚釣用リールであって、前記リール本体の上面には、上方に突出し、前後方向に延在する突条部が形成され、前記突条部は、前記スイッチと隣接し、前記突条部は、頂部と、前記頂部から前記スイッチに向かうにつれて次第に低くなるスイッチ側テーパ面と、を有していることを特徴とする。
【０００８】
前記発明によれば、糸ふけにより釣り糸がリール本体の上方でスイッチの周囲を囲むように環状になった場合、突条部の頂部に当接し、表示ケースの上面よりも高い位置に配置される。そして、環状の釣り糸が移動してもスイッチの側面に引っ掛かり難く、スイッチへの糸絡みが減少する。
また、突条部の頂部とスイッチとの間には、スイッチ側テーパ面が形成されているため、スイッチを押圧する親指が入り込むスペースが確保され、スイッチの操作性（押圧し易さ）が損なわれないようになっている。
また、パーミング時において、スイッチ側テーパ面に指を当てることができ、握り易く、パーミング機能が損なわれないようになっている。
そのほかに、パーミングする際、誤って親指がスイッチの上面に当たってしまったとしても、親指は、スイッチに近接する頂部にも当接し、スイッチの押圧が一旦規制される。よって、釣り人は、親指の位置が誤っていることを認識し、スイッチを最後まで押圧することなく親指の位置を変えるため、スイッチの誤操作が抑制される。さらには、突条部によって表示部への接触が抑制され、表示部の保護を図ることができる。
【０００９】
また、前記スイッチにおける上面と側面との角部は、テーパ状に形成され、前記突条部の頂部は、前記角部の下端よりも上方であり、かつ、前記角部の上端よりも下方に位置していることが好ましい。
【００１０】
前記構成によれば、糸ふけにより環状を呈する釣り糸が頂部に当接した場合、スイッチの角部と同じ高さとなる。そして、釣り糸が角部に接触してもスイッチの上方へ移動するため、スイッチへの糸絡みが抑制される。また、突条部の突出量が抑制され、リール本体の小型化を図れる。
【００１１】
また、前記突条部は、前記スイッチよりも左右方向外側に配置され、前記スイッチと隣接していてもよい。
また、前記突条部は、前記頂部から前記スイッチと反対側に向うにつれて次第に低くなる反スイッチ側テーパ面を備えてもよい。
【発明の効果】
【００１２】
以上から、本発明によれば、スイッチの操作性及びパーミング機能を維持しつつ、釣り糸によるスイッチへの絡み付きを効果的に抑制できる魚釣用リールを提供することができる。
【図面の簡単な説明】
【００１３】
【図１】実施形態の両軸受型リールの平面図である。
【図２】実施形態の両軸受型リールのリール本体のみを左前側の上方から斜視した斜視図である。
【図３】（ａ）は図４のＩＩＩＡ−ＩＩＩＡ線矢視端面図であり、（ｂ）は図４のＩＩＩＢ−ＩＩＩＢ線矢視端面図であり、（ｃ）は図４のＩＩＩＣ−ＩＩＩＣ線矢視端面図である。
【図４】図１のリール本体の一部を拡大した拡大平面図である。
【発明を実施するための形態】
【００１４】
本発明に係る魚釣用リールの実施形態について図面を参照しながら説明する。以下の説明において、「前後」「左右」を言うときは、図１に示した方向を基準とする。また、同一の要素には同一の符号を用い、重複する説明は省略する。
【００１５】
図１に示すように、本実施形態に係る両軸受型リール１００は、左右に離間する左右のフレーム２ａ，２ｂを有するリール本体１と、リール本体１の右側に回転自在に支持されるハンドル７ａと、左右のフレーム２ａ，２ｂ間に配置されたスプール６と、糸長計測装置２０と、を備えている。
【００１６】
リール本体１は、図示しない複数の支柱を介して連結する左右のフレーム２ａ，２ｂと、左右のフレーム２ａ，２ｂの外側に配置される左右の外側板３ａ，３ｂと、で形成される左側板３Ａと右側板３Ｂとを備えている。
さらに、リール本体１は、左右のフレーム２ａ，２ｂ間の前側に固定される表示ケース４と、左右のフレーム２ａ，２ｂ間であって表示ケース４の下方に固定されるフロントカバー５と、を備えている。
尚、実施形態では、別体の左フレーム２ａと左外側板３ａとを組み合わせて左側板３Ａを形成しているが、本発明では、左フレーム２ａと左外側板３ａとが一体形成された左側板であってよく、特に限定されない。
【００１７】
リール本体１は、小型化されており、釣り人がリール本体１を包むように把持すること、つまり、パーミングすることが可能になっている。
詳細に説明すると、パーミングとは、親指以外の４つ手指で釣竿２００のグリップ２０１を握りつつ、掌をリール本体１の左側面に当てるとともに、親指をリール本体１（表示ケース４）の上面に当てる把持方法である（図１の仮想線参照）。
以下、リール本体１の各構成の詳細を説明する。
【００１８】
左側板３Ａと右側板３Ｂは、図示しない軸受により、スプール６が固定されるスプール軸を回転自在に支持している。
右フレーム２ｂは、右外側板３ｂと一体となって右側板３Ｂを形成し、右ギヤボックを構成している。そして、その右ギヤボックス内には、ハンドル７ａが取り付けられたハンドル軸７と、ハンドル軸７に回転自在に支持された駆動歯車（不図示）と、公知のドラグ機構（不図示）と、駆動歯車と歯合してスプール軸に動力を伝達するピニオン（不図示）と、公知のクラッチ機構とが収容されている。なお、ドラグ機構、クラッチ機構は公知なものであるため、詳細な説明を省略する。
【００１９】
一方で、左フレーム２ａは、左外側板３ａと一体となって左側板３Ａを形成し、左ギヤボックスを構成している。そして、その左ギヤボックス内には、仕掛けの放出に伴い回転するスプール６に制動力を付与しバックラッシュの発生を防止するための公知の磁気制動装置（不図示）や糸長計測装置のスプール回転検出部等が収容されている。
【００２０】
図２に示すように、左外側板３ａの左側面は、リール本体１の左側面を構成している。左外側板３ａの左側面は、縁部がテーパ状に形成され、左外側板３ａ全体が丸みを帯びている。このため、パーミング時にリール本体１の左側面に左手の掌を当て易く、把持性（握り易さ）が向上している（図１参照）。なお、特に図示しないが、右外側板３ｂの縁部もテーパ状に形成されている。
【００２１】
図２に示すように、左右の外側板３ａ，３ｂの前部には、左右方向に延在するフロントカバー５が固定され、左右のフレーム２ａ，２ｂ間に海水が進入しないようになっている。また、フロントカバー５は、上方に位置する表示ケース４に対し下方へ離間し、釣り糸を放出する開口Ｓ１が形成されている。
【００２２】
図１に示すように、表示ケース４は、糸長計測装置２０の各部品が格納されたケース本体部１０と、ケース本体部１０の後部から後方に延びる左右の延出部１１，１２と、を備え、平面視で後方に開口する凹状を呈している。
【００２３】
ケース本体部１０は、左右の端部が左右のフレーム２ａ，２ｂの上部に位置し、左右のフレーム２ａ，２ｂ上に跨った状態で設けられている。
左右の延出部１１，１２の後端は、左右のフレーム２ａ，２ｂの後部の上面２ａ１，２ｂ１と連続している。
【００２４】
図２に示すように、左右のフレーム２ａ，２ｂの上面２ａ１，２ｂ１は、後方に向って下方に位置し、略円弧状を呈している。
また、左右の延出部１１，１２の上面は、略平面状に形成されているとともに、左右のフレーム２ａ，２ｂの上面２ａ１，２ｂ１に対し段差なく形成され、面一となっている。
このため、図１に示すように、親指の付け根部分を左フレーム２ａの上面２ｂ１に当てつつ、親指を前方に延ばすと、自然と親指がケース本体部１０と左延出部１１の上面に当たるようになっている。
以上から、違和感なく、リール本体１に対し上方から親指を当てることができ、パーミングし易く（握り易く）なっている。
なお、パーミングにおける左手の親指は、左延出部１１に限らず、スプール６の上方を跨いで右延出部１２に当てるようにしてもよい（図４の仮想線参照）。
【００２５】
糸長計測装置２０は、公知のようにケース本体部１０内に格納されて釣り糸の繰り出し量や巻き取り量を演算したりする制御基板（不図示）と、釣り糸の繰り出し量等を表示する液晶表示部２１と、演算部が演算すべき情報を切り替える押圧式のスイッチ２２と、を備えている。
液晶表示部２１は、ケース本体部１０の左右方向中央部よりも左寄りに配置されている。一方で、スイッチ２２は、ケース本体部１０の右端側に配置され、液晶表示部２１の右方に位置している。このため、パーミング時の左手の親指とスイッチ２２とが離間し、スイッチ２２を誤って押圧する可能性が低減している。
【００２６】
液晶表示部２１及びスイッチ２２は、ケース本体部１０の後端から前方に離間している。このため、ケース本体部１０の上面１０ａの後部には、パーミングする際に親指を当てることができる指当て領域１３が形成されている。よって、パーミングの自由度が高くなっている。
【００２７】
図３（ａ）に示すように、スイッチ２２は、表面がゴム性のシール材で防水された円柱状の部品であり、上面２２ａが釣り人に押圧されるための操作面となっている。スイッチ２２における上面２２ａと側面２２ｂとの角部２２ｃは、上面２２ａ側に向けて縮径しており、断面視で円弧状（テーパ状）に形成され、Ｒ面（テーパ面）となっている。よって、角部２２ｃに釣り糸が接触すると、釣り糸は、角部２２ｃに沿って上方に案内されるため、釣り糸が引っ掛かり難い。
【００２８】
図１，図２に示すように、上記したリール本体１の上面には、上方に突出し、前後方向に延在する突条部３０が形成されている。
突条部３０は、表示ケース４の右側で上方に突出する右突条部３１と、表示ケース４の左側で上方に突出する左突条部３２と、を備えており、右突条部３１と左突条部３２とが左右対称に形成されている。
以下、右突条部３１を突条部３０の代表例として説明し、必要に応じて左突条部３２の説明を行う。
【００２９】
図１に示すように、右突条部３１は、ケース本体部１０の前端から右延出部１２の後部まで延在している。右突条部３１は、前方に向かうにつれて左右方向の内側に位置するように湾曲している。
【００３０】
図３の各図に示すように、右突条部３１の断面形状は、略三角形状を呈している。言い換えると、右突条部３１は、頂部３３からリール本体１の左右方向内側に向かうにつれて次第に低くなる内側テーパ面（スイッチ側テーパ面）３４と、頂部３３からリール本体１の左右方向外側に向かうにつれて次第に低くなる外側テーパ面（反スイッチ側テーパ面）３５と、を備えている。
【００３１】
このような突条部３０によれば、パーミングにより表示ケース４の左側に親指を当てる場合、左突条部３２の内側テーパ面３４と表示ケース４（ケース本体部１０、左延出部１１）の上面とに跨って親指を当てることができる（図１参照）。
一方で、パーミングにより表示ケース４の右側に親指を当てる場合、右突条部３１の内側テーパ面３４と表示ケース４（ケース本体部１０、右延出部１２）の上面とに跨って親指を当てることができる（図４参照）。
以上から、内側テーパ面３４と表示ケース４とからなる連続面に指を当てても、角部が形成されていないために把持し易い。よって、突条部３０（右突条部３１、左突条部３２）を形成してもパーミング機能が損なわれない。
【００３２】
右突条部３１の頂部３３は、糸ふけにより表示ケース４の上方に環状の釣り糸が発生した場合（図４の仮想線Ｍ参照）、その環状の釣り糸の少なくても一部を当接させるための部位である。
なお、環状の釣り糸が右突条部３１の頂部３３に当接した状態において、ハンドル７ａの巻き取り操作が行われた場合、頂部３３に沿って後方（スプール６側）に移動することとなる。
【００３３】
右突条部３１の頂部３３の高さは、前後方向において略同じ高さとなっている。これによれば、ハンドル７ａの巻き取り操作により、頂部３３に沿って後方（スプール６側）へ移動する環状の釣り糸は、高さが変位することなく移動する。
【００３４】
図３（ａ）に示すように、右突条部３１の頂部３３は、スイッチ２２の角部２２ｃの下端（補助線Ｈ１参照）よりも上方に位置し、かつ、スイッチ２２の角部２２ｃの上端（補助線Ｈ２参照）よりも下方に位置している。
よって、ハンドル７ａの巻き取り操作により頂部３３に沿って後方に移動する環状の釣り糸は、スイッチ２２の角部２２ｃに対し側方から接触する。そして、釣り糸は、角部２２ｃに沿って上方に案内される。そして、環状の釣り糸はスイッチ２２の上面２２ａを超えて後方へ移動する。以上から、環状の釣り糸がスイッチ２２の側面２２ｂに引っ掛かる（接触する）可能性が低く、スイッチ２２への糸絡みが減少する。
【００３５】
なお、本発明においては、右突条部３１の頂部３３をスイッチ２２の上面２２ａよりも上方に位置するようにしてもよい。これによれば、スイッチ２２への絡み付きを確実に抑制することが出来る。
一方で、実施形態によれば、右突条部３１の頂部３３がスイッチ２２の上面２２ａよりも下方となっており、右突条部３１の突出量が抑制されている。このため、スイッチ２２への糸絡みの減少を図りつつ、リール本体１の小型化も図っている。
【００３６】
また、右突条部３１は、スイッチ２２よりも右側（左右方向外側）に位置し、スイッチ２２と隣接していている。
このため、糸ふけにより発生した環状（円弧状）の釣り糸（図４の仮想線Ｍ参照）が頂部３３に当接することなく、頂部３３とスイッチ２２との間に釣り糸が入り込むおそれを低減できる。
また、図３（ａ）に示すように、スイッチ２２に対し右突条部３１が隣接しているものの、内側テーパ面３４の上方に、スイッチ２２を押圧する親指が入り込むことができる隙間Ｓ２が確保されている。よって、スイッチ２２の操作性（押圧し易さ）を損なわないようになっている。
さらに、パーミングする際、誤って親指がスイッチ２２の上面２２ａに当たってしまったとしても、親指がスイッチ２２に近接する頂部３３に当接し、スイッチ２２の押圧が一旦規制される。よって、釣り人は、親指の位置が誤っていることを認識し、スイッチ２２を最後まで押圧することなく親指の位置を変えるため、スイッチの誤操作が抑制される。
【００３７】
図３の各図に示すように、内側テーパ面３４は、頂部３３から幅方向内側に延びる傾斜面３６と、傾斜面３６と表示ケース４の上面との間に位置する円弧状のＲ面３７と、を備えている。また、傾斜面３６とＲ面３７との境界には稜線３８が形成されている。
また、上記するＲ面３７によれば、指を置いた場合に収まり易く、把持性が向上する。
【００３８】
図４に示すように、内側テーパ面３４において、平面視で傾斜面３６とＲ面３７とが占める割合は、後部に向かうにつれて傾斜面３６よりもＲ面３７の方が大きい。よって、内側テーパ面３４のうち後側の方が親指を当て易くなっている。
【００３９】
また、図３（ａ）、図４に示すように、稜線３８には、スイッチ２２を貫通させる貫通孔１４の縁が重なっており、Ｒ面３７上に貫通孔１４の一部が形成されている。
このため、スイッチ２２にと頂部３３との距離が近くなり、スイッチ２２と頂部３３との間の隙間Ｓ２に釣り糸が入り込み難く、スイッチ２２への糸絡みを効果的に減少させることができる。
【００４０】
そのほか、上記した右突条部３１によれば、液晶表示部２１に物が接触し難くなり、液晶表示部２１の保護を図ることができる。なお、本実施形態では、右突条部３１の他に左突条部３２が形成されていることから、さらに液晶表示部２１に物が接触し難く、液晶表示部２１の保護が強固となる。
【００４１】
以上、実施形態について説明したが、本発明は実施形態で説明した例に限定されない。
例えば、実施形態の突条部３０（右突条部３１、左突条部３２）は、表示ケース４のみから上方に突出しているが、本発明においては、表示ケース４以外に左右のフレーム２ａ，２ｂや左右の外側板３ａ,３ｂの一部を上方に突出させて突条部３０を構成するようにしてもよい。
【００４２】
また、実施形態の突条部３０は、右突条部３１と左突条部３２を備えているが、右突条部３１のみ構成されてもよい。また、右突条部３１は、外側テーパ面３５を備えなくてもよい。
【００４３】
また、右突条部３１の内側テーパ面３４は、傾斜面３６とＲ面３７の２つの面から構成されているが、傾斜面３６のみ又はＲ面３７のみの単一面から構成されてもよい。
【００４４】
また、右突条部３１は、スイッチ２２の左右方向内側に隣接するようにしてもよい。このような変形例であっても、糸ふけによる略環状（円弧状）の釣り糸は、右突条部３１の頂部３３に当接し、釣り糸によるスイッチへの絡み付きを抑制できる。
また、右突条部３１の前後方向の長さは、表示ケース４の全体に亘って形成する必要はなく、スプール６とスイッチ２２などの相対的位置に応じて適宜変更してよい。
【符号の説明】
【００４５】
１      リール本体
２ａ，２ｂ  左フレーム，右フレーム
３ａ，３ｂ  左外側板，右外側板
３Ａ，３Ｂ  左側板，右側板
４      表示ケース
１０    ケース本体部
１１，１２  左延出部，右延出部
２０    糸長計測装置
２１    液晶表示部
２２    スイッチ
２２ａ  上面
２２ｂ  側面
２２ｃ  角部
３０    突条部
３１    右突条部
３２    左突条部
３３    頂部
３４    内側テーパ面（スイッチ側テーパ面）
３５    外側テーパ面（反スイッチ側テーパ面）
３６    傾斜面
３７    Ｒ面
３８    稜線
１００  両軸受型リール
Ｓ２    隙間
【図１】
2019022464.tif 000003
【図２】
2019022464.tif 000004
【図３】
2019022464.tif 000005
【図４】
2019022464.tif 000006